(57)【要約】【課題】本体屋根の屋根下地上の所定位置に、置き屋根を安全に且つ容易に構成することのできる住宅の棟違い部の屋根構造を提供すること。【解決手段】１本の大棟を備えた本体屋根の屋根下地上に、該大棟と直交する方向の別の棟を備えた四面体からなる置き屋根が配設固定された構造を備えた屋根部を有する住宅の棟違い部の屋根構造において、前記四面体からなる置き屋根の３角形状の底面を構成する２本の谷木５１、５２それぞれの一端５１ａ、５２ａを所定角度で互いに結合した２又形状の谷木フレームにおける該谷木５１、５２それぞれの他端５１ｂ、５２ｂを１本の結合材５３の両端５３ａ、５３ｂとそれぞれ結合して構成した所定の３角形状の谷木フレーム５を、該結合材５３を前記本体屋根の勾配に直交する方向に配して該本体屋根の所定位置に敷設固定し、敷設固定された前記谷木フレーム５を底面として前記置き屋根を形成してなる。【選択図】　　　図３
2004084245.tif 000002
【特許請求の範囲】
【請求項１】
１本の大棟を備えた本体屋根の屋根下地上に、該大棟と直交する方向の別の棟を備えた四面体からなる置き屋根が配設固定された構造を備えた屋根部を有する住宅の棟違い部の屋根構造において、
前記四面体からなる置き屋根の３角形状の底面を構成する２本の谷木それぞれの一端を所定角度で互いに結合した２又形状の谷木フレーム、又は該谷木フレームにおける谷木それぞれの他端を１本の結合材の両端とそれぞれ結合して構成した所定の３角形状の谷木フレームを、該結合材を前記本体屋根の勾配に直交する方向に配して該本体屋根の所定位置に敷設固定し、敷設固定された前記谷木フレームを底面として前記置き屋根を形成してなる、住宅の棟違い部の屋根構造。
【請求項２】
前記四面体からなる置き屋根における正面部の前方に、該正面部を覆う別の屋根部が、前記四面体の両側面部を構成する一対の置き屋根面と一体的に連設されており、該別の屋根部は、前記本体屋根を備えた家屋本体部に対して、家屋別体部の屋根を形成している請求項１記載の住宅の棟違い部の屋根構造。
【請求項３】
前記谷木フレームには、その敷設前に、トラスや垂木の設置位置を明記してある請求項１又は２記載の住宅の棟違い部の屋根構造。
【請求項４】
前記本体屋根の屋根下地上に、予め前記谷木フレームの敷設固定位置をＣＡＤ図面情報を基に明記してあり、該敷設固定位置に前記谷木フレームを敷設固定してある請求項１〜３の何れかに記載の住宅の棟違い部の屋根構造。
【発明の詳細な説明】
【０００１】
【発明の属する技術分野】
本発明は、１本の大棟を備えた本体屋根の屋根下地上に、該大棟と直交する方向の別の棟を備えた四面体からなる置き屋根が配設固定された構造を備えた屋根部を有する住宅の棟違い部の屋根構造に関する。
【０００２】
【従来の技術及び発明が解決しようとする課題】
住宅の屋根構造の一つとして、寄棟屋根、切妻屋根等の１本の大棟を備えた本体屋根における棟違い部を置き屋根構法という手段で構成した屋根構造がある。置き屋根構法は、本体屋根の屋根下地上の所定位置に、大棟と直交する方向の別の棟を備えた四面体からなる置き屋根を構成するものである。
従来の一般的な置き屋根の施工手順は、以下の通りである。先ず、本体屋根の骨組及び屋根下地を施工した後、前記四面体における底面の３角形状の枠体を構成する３辺のうち、本体屋根の勾配部分に敷設固定される２辺に該当する２本の谷木について、作業者が本体屋根上にて、その敷設固定する位置を計測、採寸する。次に、計測、採寸された前記敷設固定する位置を示す目印を、本体屋根に設ける。次いで、２本の谷木について、所定の長さに切断し、それぞれの一端を頂部取り合いの形状に加工する。そして、切断、加工された２本の谷木を、本体屋根に設けた前記目印に合わせて、本体屋根の屋根下地上に敷設固定する。
然る後、設計図面に表記された水平投影寸法を勾配なりの寸法に換算し、換算した寸法に基づいて、本体屋根に敷設固定した２本の谷木における、垂木、トラス等の骨組の構造材が設置される位置に位置墨を出す。次に、垂木、トラス等の骨組の構造材を、前記位置墨に合わせて、本体屋根の勾配方向に直交する方向に所定間隔隔離させて並べた状態で設置する。そして、置き屋根の骨組に置き屋根面を形成する部材を設置することにより、置き屋根を構成することができる。
【０００３】
しかし、置き屋根を前述の手順で構成する場合、屋根上という不安定なところで、作業者が谷木の採寸や切断等の作業をするため、作業者の姿勢が不安定となり、危険であった。
また、本体屋根の屋根下地上に谷木の敷設位置を出す作業や、谷木上に垂木やトラスの位置墨を出す作業も、水平面上ではなく、屋根の勾配面上においてメジャー等を用いて行われるため、設計図面に表記された水平投影寸法を一旦、勾配なりの寸法に換算しなければならず、精度とわかり易さが要求される作業であるにもかかわらず、実際には、複雑で間違い易い作業となっていた。
【０００４】
従って、本発明の目的は、本体屋根の屋根下地上の所定位置に、置き屋根を安全に且つ容易に構成することのできる住宅の棟違い部の屋根構造を提供することにある。
【０００５】
【課題を解決するための手段】
本発明は、１本の大棟を備えた本体屋根の屋根下地上に、該大棟と直交する方向の別の棟を備えた四面体からなる置き屋根が配設固定された構造を備えた屋根部を有する住宅の棟違い部の屋根構造において、前記四面体からなる置き屋根の３角形状の底面を構成する２本の谷木それぞれの一端を所定角度で互いに結合した２又形状の谷木フレーム、又は該谷木フレームにおける谷木それぞれの他端を１本の結合材の両端とそれぞれ結合して構成した所定の３角形状の谷木フレームを、該結合材を前記本体屋根の勾配に直交する方向に配して該本体屋根の所定位置に敷設固定し、敷設固定された前記谷木フレームを底面として前記置き屋根を形成してなる、住宅の棟違い部の屋根構造を提供することにより、上記目的を達成したものである。
【０００６】
【発明の実施の形態】
本発明の住宅の棟違い部の屋根構造を、その好ましい一実施形態について、図１〜図４を参照して説明する。
本実施形態の住宅の棟違い部の屋根構造は、図１及び図２に示すように、１本の大棟３１を備えた本体屋根３の屋根下地上に、該大棟３１と直交する方向の別の棟４１を備えた四面体からなる置き屋根４が配設固定された構造を備えた屋根部を有している。そして、図３に示すように、前記四面体からなる置き屋根４の３角形状の底面を構成する谷木フレーム５は、２本の谷木５１、５２それぞれの一端５１ａ、５２ａを所定角度で互いに結合した２又形状の谷木フレームにおける該谷木５１、５２それぞれの他端５１ｂ、５２ｂを１本の結合材５３の両端５３ａ、５３ｂとそれぞれ結合して構成されている。また、前記置き屋根４は、前記結合材５３を前記本体屋根３の勾配に直交する方向に配して該本体屋根３の所定位置に敷設固定し、敷設固定された前記谷木フレーム５を底面として形成してなる。
【０００７】
また、本実施形態の住宅の棟違い部の屋根構造は、図１及び図２に示すように、前記四面体からなる置き屋根４における正面部４２の前方に、該正面部４２を覆う別の屋根部８が、前記四面体の両側面部を構成する一対の置き屋根面４３、４４と一体的に連設されており、該別の屋根部８は、前記本体屋根３を備えた家屋本体部２に対して、家屋別体部７の屋根を形成している。
【０００８】
本実施形態の住宅の棟違い部の屋根構造について、更に詳述すると、図１及び図２に示すように、本実施形態に係る住宅１の家屋本体部２は、平面視で矩形の外形を有しており、その屋根部である本体屋根３は、１本の大棟３１並びに４本の下り棟３２ａ、３２ｂ、３２ｃ及び３２ｄを有し、屋根面３３ａ、３３ｂ、３３ｃ及び３３ｄを有する寄棟屋根である。
【０００９】
本体屋根３における棟違い部を構成する置き屋根４は、前述したように四面体からなり、図１及び図２に示すように、大棟３１、下り棟３２ａ及び下り棟３２ｂを含む屋根面３３ａにおける下り棟３２ｂ側の端部に配設固定されている。置き屋根４の四面体を構成する各辺のうち、一辺４５ａが大棟３１と直交する方向の別の棟４１となり、一辺４５ｂが屋根面３３ａの勾配に斜行する方向に配されており、一辺４５ｃが下り棟３２ｂに一致して配されており、一辺４５ｄ、４５ｅが、前記別の屋根部８の端縁部に接して配されている。
四面体からなる置き屋根４の骨組は、図４に示すように、３角形状の谷木フレーム５を底面として、その上に四面体を形成するように、棟木６１、垂木６２、垂木６３及び真束６４が設置されてなる。
ここで、棟木６１が置き屋根４の一辺４５ａに対応し、谷木５１が置き屋根４の一辺４５ｂに対応し、谷木５２が置き屋根４の一辺４５ｃに対応し、垂木６２が置き屋根４の一辺４５ｄに対応し、垂木６３が置き屋根４の一辺４５ｅに対応する。また、結合材５３、垂木６２、垂木６３及び真束６４からなる前面トラスが、置き屋根４の正面部４２に対応する。
尚、図４においては、四面体の骨組の基本構成として、谷木フレーム５、棟木６１及び前記前面トラスのみを図示しており、その他の構成材の図示を省略している。
【００１０】
四面体の底面を形成する谷木フレーム５は、図３に示すように、一対の谷木５１及び谷木５２並びに結合材５３から３角形状に構成されており、また、補強材５４が、谷木５１の一端５１ａと谷木５２の一端５２ａとの結合部５Ａと、該結合部５Ａと結合材５３の中点５３ｃとを連結して設けられており、一対の補強材５５、５６が、補強材５４の所定位置５４ａ、５４ａと結合材５３の所定位置５３ｄ、５３ｅとをそれぞれ連結して設けられている。
また、谷木フレーム５には、その敷設前に、図３に示すように、谷木５１を長さ方向に４等分する位置、谷木５２を長さ方向に４等分する位置、及び結合材５３における中点５３ｃに、それぞれ位置墨５７、５７・・・・が付され、谷木フレーム５の上に設置されるトラスや垂木の設置位置を明記してある。
【００１１】
次に、本実施形態の住宅の棟違い部の屋根構造を、置き屋根の施工手順について説明し、併せて、置き屋根の構成についても更に詳述する。
先ず、本体屋根３の骨組及び屋根下地を施工する。次に、本体屋根３の下り棟３２ｂにおける屋根下地上の所定位置に、予め谷木フレーム５の前記接合点５Ａの敷設固定位置（図示せず）を、ＣＡＤ図面情報を基に明記する。尚、ＣＡＤ図面情報とは、ＣＡＤを用いて作図された屋根伏図等における特定の線あるいは点の位置に関する電子情報をいう。
次いで、谷木フレーム５を、接合点５Ａを前記敷設固定位置に合わせ、谷木５２を下り棟３２ｂに一致させ、谷木５１を屋根面３３ａに勾配の斜行方向に配して当接させ、且つ結合材５３を屋根面３３ａに勾配の直交方向に配して当接させた状態で、屋根面３３ａ上に敷設し、所定の固定方法で敷設固定する。
【００１２】
谷木フレーム５を本体屋根３の屋根面３３ａの屋根下地上の所定位置に敷設固定した後、谷木フレーム５に付された位置墨５７，５７・・・・に合わせて、棟木６１、垂木６２、６３等の骨組構成材を設置し、置き屋根４の骨組を形成する。そして、置き屋根４の骨組に、四面体の両側縁部を構成する一対の置き屋根面４３、４４を形成する。
その後、家屋本体部２の長辺部分のコーナー近傍に連設する家屋別体部７の屋根部として、正１２角錐を垂直方向に２等分したような外形を有する別の屋根部８を、置き屋根４の一対の置き屋根面４３、４４と一体的に連設するように形成する。
このような施工手順により、本実施形態の住宅の棟違い部の屋根構造における置き屋根を構成することができる。
【００１３】
以上説明したように、本実施形態の住宅の棟違い部の屋根構造によれば、本体屋根３の屋根下地上の所定位置に、置き屋根４を安全に且つ容易に構成することができる。具体的には、下記効果▲１▼〜▲５▼等が奏される。
▲１▼屋根上にて作業者が採寸、切断等の作業をする必要がなくなり、作業者の安全に寄与できる。
▲２▼本体屋根の下地上に谷木の敷設位置を出す作業が簡単になり、施工間違いを防止できる。
▲３▼谷木へ位置墨を出す作業を、工場等の水平面で行うことができる。
▲４▼垂木やトラスの位置を出す作業は、勾配なりに換算した寸法を水平面上で谷木フレームに墨出しするのみでよく、現場における換算間違いや墨出し間違いを防止できる。
▲５▼勾配面上での作業が減り、作業者の安全に寄与できる。
【００１４】
特に、前記実施形態においては、谷木フレーム５には、その敷設前に、一対の谷木５１、５２の所定位置に位置墨５７が付され、トラスや垂木の設置位置を明記してあるため、従来のように谷木を本体屋根に敷設固定した後、谷木に位置墨を出す必要がなく、置き屋根の施工が一層安全で容易となる。
また、谷木フレーム５を、その一方の谷木５２を下り棟３２ｂに一致させて、本体屋根３に敷設しているので、本体屋根３に設ける谷木フレームの敷設固定位置を示す目印を最小限とすることができる。更に、本体屋根の屋根下地上に谷木フレームの敷設固定位置をＣＡＤ図面情報を基に明記しているので、屋根という不安定な場所で墨出し作業をする必要がなく、施工が速くかつ安全である。
【００１５】
また、本発明の住宅の棟違い部の屋根構造においては、前述した３角形状の谷木フレームに代えて、四面体からなる置き屋根の３角形状の底面を構成する２本の谷木それぞれの一端を所定角度で互いに結合した２又形状の谷木フレームを本体屋根の所定位置に敷設固定し、置き屋根を形成することもできる。この場合、２又形状の谷木フレームを本体屋根の所定位置に敷設固定し、本体屋根上において、該谷木フレームにおける谷木それぞれの他端を１本の結合材の両端とそれぞれ結合した後、該谷木フレーム上に骨組を形成し、置き屋根を形成する。
【００１６】
本発明の住宅の棟違い部の屋根構造は、前記実施形態に制限されることなく、本発明の趣旨を逸脱しない限り、例えば以下に示すように適宜変更が可能である。
本体屋根の形態は、切妻屋根や方形屋根等でもよく、家屋本体部の形態も前記実施形態に制限されない。
前記実施形態においては、置き屋根の正面部の前方に、該正面部を覆う別の屋根部が連設されているが、該別の屋根部の形態も前記実施形態に制限されず、別の屋根部の形態としては、置き屋根の一対の置き屋根面と一体的に連設した寄棟屋根や切妻屋根等でも良い。
【００１７】
谷木フレームを補強するための補強材の個数や配置等は、必要な強度が得られれば任意であり、また、谷木フレームの上に設置されるトラスや垂木等の骨組構成材の個数や配置等も、必要な強度が得られれば任意である。
本発明の住宅の棟違い部の屋根構造において、谷木フレームにトラスや垂木等の骨組構成材の設置位置を明記する際には、予め、ＣＡＤ図面情報を基に、谷木フレーム面に位置墨を自動で出す等の手段で、該設置位置を明記してもよい。また、骨組構成材の設置位置を示す位置墨等の個数や配置等は、置き屋根の骨組構成に対応して適宜設けられる。
更には、骨組構成材の設置位置を示す位置墨は、谷木フレーム面ではなく、本体屋根の下地である野地板表面に、予め手動あるいは自動で墨出ししておいてもよい。
【００１８】
置き屋根の骨組構造としては、図５に示すように、３角形状の谷木フレーム５上に、所定形状の板材を３角形状に結合してなるバレートラス６５ａ、６５ｂ、６５ｃ及び６５ｄを所定間隔で並置し、各バレートラス６５ａ、６５ｂ、６５ｃ及び６５ｄの先端を結合材で結合して、四面体が形成される骨組構造が挙げられる。ここで、各バレートラス６５ａ、６５ｂ、６５ｃ及び６５ｄは、相互に類似する２等辺３角形状である。尚、図５においては、各バレートラスを構成する板材同士を結合する結合材及び各バレートラスの先端を結合する結合材の図示を省略している。
前記実施形態においては、本体屋根の屋根下地に置き屋根を構成した後に、家屋別体部の屋根を形成する別の屋根部を構成しているが、本発明の住宅の棟違い部の屋根構造においては、本体屋根の屋根下地に置き屋根を構成する前に、該別の屋根部を構成していてもよい。
【００１９】
【発明の効果】
本発明の住宅の棟違い部の屋根構造によれば、本体屋根の屋根下地上の所定位置に、置き屋根を安全に且つ容易に構成することができる。具体的には、前記効果▲１▼〜▲５▼等が奏される。
【図面の簡単な説明】
【図１】図１は、本発明の一実施形態の住宅の棟違い部の屋根構造を示す斜視図である。
【図２】図２は、本発明の一実施形態の住宅の棟違い部の屋根構造を示す平面図である。
【図３】図３は、本発明の一実施形態に係る置き屋根の四面体の底面を構成する谷木フレームを、水平面上に載置し、平面視した平面図である。
【図４】図４は、本発明の一実施形態の住宅の棟違い部の屋根構造を構成する置き屋根の四面体を示す概略斜視図である。
【図５】図５は、本発明の別の実施形態の住宅の棟違い部の屋根構造を構成する置き屋根の四面体を示す概略斜視図である。
【符号の説明】
１　　　住宅
２　　　家屋本体部
３　　　本体屋根
３１　大棟
３２ａ、３２ｂ、３２ｃ、３２ｄ　下り棟
３３ａ、３３ｂ、３３ｃ、３３ｄ　屋根面
４　　　置き屋根
４１　別の棟
４２　正面部
４３、４４　置き屋根面
５　　　谷木フレーム
５１、５２　谷木
５３　結合材
５４、５５、５６　補強材
６１　棟木
６２、６３　垂木
６４　真束
７　　　家屋別体部
８　　　別の屋根部
【図１】
2004084245.tif 000003
【図２】
2004084245.tif 000004
【図３】
2004084245.tif 000005
【図４】
2004084245.tif 000006
【図５】
2004084245.tif 000007